(57)【特許請求の範囲】
【請求項１】
スカート部と、スカート部の内部に配置されるボウル部と、スカート部の上部に接合されるリム部とに３分割された便器であって、
前記スカート部の内部に、ボウル部の裏面に沿うボウル受け部を形成した柱状構造のボウル支持部材を配置し、
このボウル支持部材は、便器の設置フロアに置かれ、平面視がＵ字形状のベース部と、このベース部の上方に配置され、平面視がＵ字形状のボウル受け部と、ベース部とボウル受け部とを上下方向に連結する複数本の柱状部とで構成されて、ボウル受け部にボウル部の下部を上方から嵌め合わせることで、ボウル受け部でボウル部の裏面を支持するようにしたことを特徴とする便器。
【請求項２】
前記ボウル支持部材は、金属製であることを特徴とする請求項１に記載の便器。
【請求項３】
前記ボウル支持部材は、中空状であることを特徴とする請求項１または２に記載の便器。
【請求項４】
前記ボウル支持部材の中空部分に、温水を供給若しくはヒータを収納することを特徴とする請求項３に記載の便器。
【請求項５】
前記ボウル支持部材の少なくとも一部を制振材で形成していることを特徴とする請求項１〜４のいずれか一項に記載の便器。
【発明の詳細な説明】
【技術分野】
【０００１】
本発明は、３分割タイプの便器に関する。
【背景技術】
【０００２】
従来、図４（ａ）（ｂ）に示すように、スカート部１と、スカート部１の内部に配置されるボウル部２と、スカート部１の上部に接合されるリム部３とに３分割された合成樹脂製の便器がある（特許文献１参照）。
【０００３】
そして、図４（ｃ）に示すように、リム部３を上辺部３ａと内辺部３ｂとで形成して、スカート部１の上端部１ａをリム部３の上辺部３ａの下面に当接させて接合するとともに、ボウル部２の上端部２ａをリム部３の内辺部３ｂの底部３ｃに接合するものを本出願人が先に提案している。
【特許文献１】特許第３４３６００４号公報
【発明の開示】
【発明が解決しようとする課題】
【０００４】
ところで、前記のような３分割タイプの便器において、ボウル部を下方から支持しにくい便器デザインである場合には、ボウル部を長期間に亘って安定に支持しにくいという問題があった。
【０００５】
本発明は、前記問題を解消するためになされたもので、ボウル部を下方から支持しにくい便器デザインであっても、ボウル部を長期間に亘って安定に支持できるように工夫した便器を提供することを目的とするものである。
【課題を解決するための手段】
【０００６】
前記課題を解決するために、本発明は、スカート部と、スカート部の内部に配置されるボウル部と、スカート部の上部に接合されるリム部とに３分割された便器であって、前記スカート部の内部に、ボウル部の裏面に沿うボウル受け部を形成した柱状構造のボウル支持部材を配置し、このボウル支持部材は、便器の設置フロアに置かれ、平面視がＵ字形状のベース部と、このベース部の上方に配置され、平面視がＵ字形状のボウル受け部と、ベース部とボウル受け部とを上下方向に連結する複数本の柱状部とで構成されて、ボウル受け部にボウル部の下部を上方から嵌め合わせることで、ボウル受け部でボウル部の裏面を支持するようにしたことを特徴とする便器を提供するものである。
【０００７】
耐衝撃性をより向上させるために、前記ボウル支持部材は、金属製であることが好ましい。
【０００８】
便器全体を軽量化するために、前記ボウル支持部材は、中空状であることが好ましい。
【０００９】
寒冷地における便器内の残水の凍結を防止するために、前記ボウル支持部材の中空部分に、温水を供給若しくはヒータを収納することが好ましい。
【００１０】
尿水等の当たり音を減衰するために、前記ボウル支持部材の少なくとも一部を制振材で形成していることが好ましい。
【発明の効果】
【００１１】
本発明によれば、スカート部の内部に配置したボウル支持部材のボウル受け部でボウル部の裏面を支持するようにしたから、ボウル部に作用する垂直方向の衝撃荷重と水平方向の衝撃荷重とに対する耐衝撃性が向上するとともに、スカート部に対するボウル部の支持が安定して、接合時の位置ズレが発生しにくくなる。また、ボウル部を下方から支持しにくい便器デザインであっても、スカート部の内部に収まる範囲内でボウル支持部材の形を任意に変えることで、ボウル部を長期間に亘って安定に支持できるようになる。
【発明を実施するための最良の形態】
【００１２】
以下、本発明を実施するための最良の形態について、図面を参照しながら詳細に説明する。なお、背景技術と同一構成・作用の箇所は、同一番号を付して詳細な説明を省略する。
【００１３】
図１（ａ）は便器の側面断面図、図１（ｂ）はボウル支持部材６の斜視図、図２（ａ）はスカート部の平面断面図、図２（ｂ）は図２（ａ）のI−I線断面図、図２（ｃ）は図２（ｂ）のII−II線断面図である。
【００１４】
図１（ａ）において、スカート部１の内部にボウル部２が配置されるとともに、スカート部１の上部にリム部３が接合されている。このリム部３は、上辺部３ａと内辺部３ｂとで形成して、スカート部１の上端部１ａをリム部３の上辺部３ａの下面に当接させて接合するとともに、ボウル部２の上端部２ａをリム部３の内辺部３ｂの底部３ｃに接合している。
【００１５】
スカート部１の内部には、ボウル部２の裏面２ｂに沿うボウル受け部６ｂを形成した柱状構造のボウル支持部材６を配置している。このボウル支持部材６は、便器の設置フロアに置かれ、平面視がＵ字形状のベース部６ａと、このベース部６ａの上方に配置され、ベース部６ａよりも長さが短く、平面視がＵ字形状のボウル受け部６ｂと、ベース部６ａとボウル受け部６ｂとを上下方向に連結する複数本（本例では５本）の柱状部６ｃとで構成されている。そして、ボウル受け部６ｂにボウル部２の下部を上方から嵌め合わせることで、ボウル受け部６ｂでボウル部２の裏面２ｂを支持するようにしている。
【００１６】
このように、スカート部１の内部に配置したボウル支持部材６のボウル受け部６ｂでボウル部２の裏面２ｂを支持することにより、図１（ａ）のように、ボウル部２に作用する垂直方向の衝撃荷重Ｖと水平方向の衝撃荷重Ｈとに対する耐衝撃性が向上するとともに、スカート部１に対するボウル部２の支持が安定して、接合時の位置ズレが発生しにくくなる。
【００１７】
また、ボウル部２を下方から支持しにくい便器デザインであっても、スカート部１の内部に収まる範囲内でボウル支持部材６の形を任意に変えることで、ボウル部２を長期間に亘って安定に支持できるようになる。
【００１８】
ボウル支持部材６は、強化繊維材料を有する合成樹脂製であっても良いが、金属製とすれば、耐衝撃性がより向上するようになる。
【００１９】
また、ボウル支持部材６は、中実丸棒材を接合したものであっても良いが、パイプ材を接合したものとすれば、便器全体を軽量化できるようになる。さらに、パイプ材であれば、パイプベインダー等による加工も容易になる。なお、中実丸棒材やパイプ材以外に、断面Ｔ字状材やＩ字状材とすることもできる。
【００２０】
このように、ボウル支持部材６をパイプ材とすれば、図２（ｂ）に示したように、ボウル支持部材６に温水タンク７を接続することで、ボウル支持部材６の中空部分に温水を供給することにより、寒冷地における便器内の残水の凍結を防止できるようになる。なお、ボウル支持部材の中空部分にヒータを収納しても、同様に残水の凍結を防止できるようになる。
【００２１】
さらに、ボウル支持部材６のボウル受け部６ｂ（ボウル支持部材６の少なくとも一部に相当する。）を制振材（例えばマグネシウム材）で形成すれば、特にボウル部の表面（洗浄面）の後方側において、特に男性の尿水等〔図２（ｂ）の矢印ａ参照〕が当たりやすい部分の振動が抑制されて当たり音を減衰できるようになる。
【００２２】
ボウル支持部材６は、スカート部１と別体である必要は無く、スカート部１にインサートモールドすることで、スカート部１と一体化することもできる。
【００２３】
図３（ａ）は別実施形態のスカート部の平面図、図３（ｂ）は図３（ａ）のIII−III線断面図、図３（ｃ）は図３（ｂ）のIV−IV線断面図であり、図３（ａ）（ｂ）に仮想線で輪郭とハッチングを示したように、ボウル支持部材６のボウル受け部６ｂに、ボウル部２の裏面２ｂに沿う略半球形状の制振材８を配置している。この制振材８は、ボウル部２の裏面２ｂ側の全面に配置する必要は無く、少なくともボウル部の貯水面（喫水面）Ｌの付近だけ、好ましくは、貯水面（喫水面）Ｌ以下に位置するように配置する。
【００２４】
このように、ボウル支持部材６のボウル受け部６ｂに制振材８を配置することにより、制振材８でボウル部２の裏面全体を支持できるので、ボウル支持部材６によるボウル部２の支持がより安定するようになる。
【００２５】
また、制振材８によって、特にボウル部２の表面（洗浄面）の後方側において、尿水等〔図３（ａ）の矢印ａ参照〕が当たりやすい部分における当たり音を減衰できるようになる。
【００２６】
さらに、制振材８を少なくともボウル部２の貯水面（喫水面）Ｌ以下の位置とすることにより、制振材８が保温性（若しくは断熱性）を有すれば、寒冷地における便器内の残水の凍結を防止することができる。
【００２７】
制振材８を例えばマグネシウム材（金属材）とすることにより、耐衝撃性がより向上するようになる。
【００２８】
また、マグネシウム制振材８をチクソーモールドにより成形することにより、ボウル部２の裏面２ｂに隙間無く密着するような３次元形状で成形できるようになるので、より制振性が向上するようになる。
【００２９】
前記実施形態において、便器は、スカート部１とボウル部２とリム部３とに少なくとも３分割された合成樹脂製の成形品であり、これらを溶着により接合して一体化した構造である。成形方法としては、射出成形、圧縮成形、真空成形等がある。成形材料としては、比較的強度があるアクリル系樹脂、補強材入りＡＢＳやＰＢＴ等を使用することができる。なお、ボウル部２は、陶器製や金属製であって可能である。
【図面の簡単な説明】
【００３０】
【図１】本発明の実施形態に係る便器であり、（ａ）は側面断面図、（ｂ）はボウル支持部材の斜視図である。
【図２】（ａ）はスカート部の平面図、（ｂ）は（ａ）のI−I線断面図、（ｃ）は（ｂ）のII−II線断面図である。
【図３】（ａ）は別実施形態のスカート部の平面図、（ｂ）は（ａ）のIII−III線断面図、（ｃ）は（ｂ）のIV−IV線断面図である。
【図４】従来の便器であり、（ａ）は分解斜視図、（ｂ）は斜視図、（ｃ）は側面断面図である。
【符号の説明】
【００３１】
１    スカート部
２    ボウル部
２ｂ  裏面
３    リム部
６    ボウル支持部材
６ａ  ベース部
６ｂ  ボウル受け部
６ｃ  柱状部
７    温水タンク
８    制振材
【図１】
0004631772.tif 000002
【図２】
0004631772.tif 000003
【図３】
0004631772.tif 000004
【図４】
0004631772.tif 000005